(57)【要約】【課題】押入れ、クローゼット、納戸等の収納スペース部分の収納空間を少なくすることなく、しかも見栄えを悪くすることなく、換気を効果的に行う。さらに、収納スペース部分の吸気の風量を調整可能とする。【解決手段】直角の頂点Ａを挟んだ左右の側壁２、３と、この頂点Ａに対面する正面壁４とを有し、断面形状が直角三角形の換気用の三角ダクト１を、建物の中の収納スペース部分のコーナー部５に沿うように設置するとともに、建物全体の換気システムの換気ダクトに連通して設置し、収納スペース部分の換気を可能とし、換気用の三角ダクト１は、開閉可能な吸気部１４を有する三角ダクトジョイント７により接続可能である。【選択図】図１
0003103053.tif 000002
【実用新案登録請求の範囲】
【請求項１】
断面形状が三角形の換気用の三角ダクトであって、
建物の中の収納スペース部分のコーナー部に沿うように形成されるとともに、建物の換気ダクトに連通して設置され、前記収納スペース部分の換気を可能とすることを特徴とする換気用の三角ダクト。
【請求項２】
直角の頂点を挟んだ左右の側壁と、該頂点に対面する正面壁とを有し、断面形状が直角三角形の換気用の三角ダクトであって、
建物の中の収納スペース部分のコーナー部に沿うように形成されるとともに、建物の換気ダクトに連通して設置され、前記収納スペース部分の換気を可能とするものであり、
前記左右の側壁は、前記収納スペース部分のコーナー部を構成する二つの壁に沿うように形成され、
前記正面壁は、前記収納スペース部分側に向くように形成されていることを特徴とする換気用の三角ダクト。
【請求項３】
前記建物の換気ダクトは、換気扇が設けられているものであることを特徴とする請求項１又は２記載の換気用の三角ダクト。
【請求項４】
ジョイント本体と、該ジョイント本体の両端にそれぞれ形成され、換気用の三角ダクトの端部を挿入する受溝を有する受部と、を備えた断面形状が三角形の三角ダクトジョイントであって、
前記ジョイント本体には、開閉可能な吸気部が設けられており、
建物の中の収納スペース部分のコーナー部に沿って設置される複数の換気用の三角ダクトを、直線的に連通して接続することを特徴とする三角ダクトジョイント。
【考案の詳細な説明】
【技術分野】
【０００１】
本考案は、換気用のダクトに関し、特に、断面が三角形状をしており、押入れ、クローゼット、納戸等（このような建物の中で物を収納する箇所を、本考案及び本明細書では「収納スペース部分」とも言う。）のコーナー部（角部）に沿うように形成され、設置されて使用される換気用の三角ダクトに関する。
【背景技術】
【０００２】
近年、化学物質ホルムアルデヒト等に起因するシックハウス症候群が社会的問題となっており、このため、建築基準法の一部改正により、換気関係においても化学物質ホルムアルデヒト等の濃度の低減が義務づけられている。よって、より効果的な換気により快適な住空間を実現することが必要となった。
【０００３】
ところで、建物のうち、押入れ、クローゼット、納戸等の収納スペース部分は、日頃は閉じられているために湿気等が滞留しやすく、放置すると、収納物だけでなく建物自体にも悪影響を与える。そこで、これら押入れ等の空間も換気システムを導入する必要がある。
【０００４】
従来、建物の換気システムの一環として、押入れに円形のダクトや吸い込み口を設置した換気構造を組み込むという技術は公知である（特許文献１、２参照）。
【特許文献１】実開平０６−６２０１６号公報
【特許文献２】特開２０００−３２０８７４号公報
【考案の開示】
【考案が解決しようとする課題】
【０００５】
特許文献１に示す従来技術は、押入れの換気を促す構成であるが、断面円形のパイプを押し入れ内を通して設けるので、押入れの収納空間の有効活用を考慮されていないので、このようなパイプが設置されると、収納空間が少なくなる。又、特許文献２では押入れに吸い込み口を設置する技術が記載されているが、収納空間を阻害することなく、収納部内のコーナー部に直に吸気用のダクトを設けるような構成は開示されていないので、吸気の効率は必ずしも好ましいものではない。
【０００６】
本考案は、上記従来の問題点を解決することを目的とするものであり、見栄えが良く、収納空間にデッドスペースを発生させることなくフィットし、設置の断面積を送気用にフルに有効に活用できる排気用のダクトを実現するものである。
【課題を解決するための手段】
【０００７】
本考案は上記課題を解決するために、断面形状が三角形の換気用の三角ダクトであって、建物の中の収納スペース部分のコーナー部に沿うように形成されるとともに、建物の換気ダクトに連通して設置され、前記収納スペース部分の換気を可能とすることを特徴とする換気用の三角ダクトを提供する。
【０００８】
本考案は上記課題を解決するために、直角の頂点を挟んだ左右の側壁と、該頂点に対面する正面壁とを有し、断面形状が直角三角形の換気用の三角ダクトであって、建物の中の収納スペース部分のコーナー部に沿うように形成されるとともに、建物の換気ダクトに連通して設置され、前記収納スペース部分の換気を可能とするものであり、前記左右の側壁は、前記収納スペース部分のコーナー部を構成する二つの壁に沿うように形成され、前記正面壁は、前記収納スペース部分側に向くように形成されていることを特徴とする換気用の三角ダクトを提供する。
【０００９】
前記建物の換気ダクトは、換気扇が設けられているものであることを特徴とする請求項１又は２記載の換気用の三角ダクト。
【００１０】
本考案は上記課題を解決するために、ジョイント本体と、該ジョイント本体の両端にそれぞれ形成され、換気用の三角ダクトの端部１’を挿入する受溝を有する受部と、を備えた断面形状が三角形の三角ダクトジョイントであって、前記ジョイント本体には、開閉可能な吸気部が設けられており、建物の中の収納スペース部分のコーナー部に沿って設置される複数の換気用の三角ダクトを、直線的に連通して接続することを特徴とする三角ダクトジョイント。
【考案の効果】
【００１１】
前記構成から成る本考案に係る排気用の三角ダクト及び三角ダクトジョイントは、次のような効果が生じる。
（１）三角ダクトを建物の収納スペース部分のコーナー部に設置すると、塩ビ管（断面が円形の塩化ビニル管）から成る換気用ダクト等をむき出しで設置する場合に比べて見栄えがよくなり、収納スペース部に面している部分は平坦面であるから塩ビ管から成る換気用ダクトに比較して、清掃性がよく、清潔にすることができる。
【００１２】
（２）三角ダクトとすると、押入れ等において三角ダクトのために使用される部分のスペースをデッドスペースを発生させることなく、三角ダクトの全面積を送気用にフルに活用できる。
【００１３】
（３）三角ダクトを接続する三角ダクトジョイントに開口部の大きさを調整できる開閉可能な吸気部（開閉可能な吸気口）を設けることで、吸気風量を調整できる、又、不使用時には吸気口を閉鎖することで、余計な吸気を停止させ、建物全体の換気効率を向上させることができる。
【考案を実施するための最良の形態】
【００１４】
本考案に係る換気用の三角ダクト及び三角ダクトジョイントを実施するための最良の形態を実施例に基づいて図面を参照して説明する。
【実施例】
【００１５】
本考案に係る換気用の三角ダクトは、断面形状が三角形状をしており、押入れ、クローゼット、納戸等の建物の収納スペース部分のコーナー部（角部）にフィットして設置でき、送気用の断面積を十分確保できるとともに、デッドスペースを発生することなく、見栄えがよく、収納の邪魔にならない構成であることが特徴である。
【００１６】
この三角ダクト１は、図１（ａ）に示すように、その長手方向に垂直に切断した断面の外形は、直角三角形ＡＢＣから成る。即ち、三角ダクト１は、直角の頂点Ａを挟んだ左右の側壁２、３と、直角の頂点Ａに対面する正面壁４とから構成される。
【００１７】
そして、三角ダクト１は、押入れ等のコーナー部に沿うように形成されており、設置される。要するに、図１（ｃ）に示すように、直角の頂点Ａが押入れのコーナー部５に対応し、左右の側壁２、３が押入れのコーナー部５を構成する二つの壁６、６に沿うように対面し、正面壁４が押入れの収納スペース（空間）側に対面するように、三角ダクト１は形成され、そして設置される。
【００１８】
本考案に係る換気用の三角ダクト１を製造する材料としては、合板、樹脂、スチール等がある。三角ダクト１の各部の寸法の一例は、次の通りである。三角ダクト１の図１（ａ）（詳細には後述する図１（ｂ）を参照）において、辺ＡＢ（左側壁２）及びＡＣ（右側壁３）の長さはそれぞれ１２５ｍｍ、辺ＢＣ（正面壁４）は１７６．７８ｍｍである。三角ダクト１の断面の内面積は７８１２．５ｍｍ２である。板厚は５ｍｍで、三角ダクト１の長さは９００ｍｍ〜４ｍである。
【００１９】
なお、三角ダクト１の内面積は、通常、建家の換気システムの配管として用いられる断面円形の塩ビ管から成る換気用ダクトの太さが１００パイ〜１５０パイであるから、その太さに相当する断面積であることが望ましい。又、三角ダクト１の長さは、設置すべき押入れ、クローゼット、納戸等の収納スペース部分の高さ寸法等に合わせて施工時に適宜長さに切って使用すればよい。
【００２０】
三角ダクト１は、実際の施工の際には、その設置すべき収納スペースの寸法に合うような長さでなくてはならない。そのために、図１（ｂ）、後述する図３に示すように、複数本の三角ダクト１を三角ダクトジョイント７により接続して使用する。
【００２１】
図２（ａ）、（ｂ）等に示すように、三角ダクトジョイント７は、ジョイント本体８と、ジョイント本体８の両端に形成されたダクト受部９とから一体に成形されて成る。三角ダクトジョイント７は、その外形は三角ダクト１に相似な三角形である。
【００２２】
ダクト受部９は、図１（ｂ）の拡大図、図２（ｂ）等に示すように、外筒１０と内筒１１から一体に形成され、外筒１０と内筒１１の間の隙間は、三角ダクト１の接続端部１３を挿入することができるように、三角ダクト１の肉厚よりやや大きいダクト受溝１２として形成されている。実際の接続に際しては、三角ダクト１を、ダクト受溝１２に挿入し、さらにダクト受溝１２と三角ダクト１との隙間にコーキング剤（シール剤）１３を充填し、気密状態を保持する。
【００２３】
ジョイント本体８の正面には、開閉可能な吸気部１４（本考案では「開閉吸気口」とも言う。）が形成されている。この開閉可能な吸気部１４は、具体的には、ジョイント本体８の正面に一定間隔で形成された複数の小孔１５（図２（ａ）、（ｄ）、（ｆ）参照）と、この小孔１５を開閉する開閉板１６（図２（ｇ）参照）と、この開閉板１６をスライドして案内するガイド片１７（図２（ｄ）、（ｅ）参照）とから成る。
【００２４】
要するに、開閉可能な吸気部１４は、図２（ｆ）に示すようにジョイント本体８に一定間隔を置いて形成された複数の小孔１５を、図２（ｇ）に示すように複数の小孔１５に対応して複数の小孔１６’が形成され開閉板を、図２（ｄ）、（ｅ）及び図２（ｆ）（想像線）に示すようなガイド枠１７に取り付けて、スライドして開閉可能とする構造である。
【００２５】
開閉板１６を、図２（ａ）の矢印ｙに示すように、ガイド枠１７に沿って横方向スライドすることにより複数の小孔１５を開閉し、或いはその開閉度合いを調整することができる。即ち、複数の小孔１５を開閉板１６の小孔１６’と合わせて全開したり、複数の小孔１５を開閉板１６で完全に閉じたり、複数の小孔１５を開閉板１６で部分的に閉じたりすることができる。
【００２６】
なお、この開閉可能な吸気部は、いろいろな構造がある。例えば、複数の小孔１５に沿うように、三角ダクトジョイント７の正面の上下に直接、開閉板１６を案内してスライドする溝を設けるような構成としてもよい。
【００２７】
（設置例及び作用）
本考案に係る三角ダクト１及び三角ダクトジョイント７の設置例を、図３、４において説明する。図３は、本考案に係る三角ダクト１及び三角ダクトジョイント７を使用した建物の換気システムの全体構成を示す図である。
【００２８】
この換気システムでは、２階の押入れ１８（クローゼットや納戸等でもよい。以下、押入れ等という。）のコーナー部に、本考案に係る三角ダクトを３本、即ち、上部三角ダクト１９、中間三角ダクト２０及び下部三角ダクト２１が、上部三角ダクトジョイント２２及び下部三角ダクトジョイント２３で、縦方向に接続され設置されている。
【００２９】
下部三角ダクト２１の下端は、１階の居室の吸気口２４に接続されている１Ｆ天井裏ダクト（塩ビ管）２５に連通するように接続されている。一方、上部三角ダクト１の上端は、排気口２６に連通する２Ｆ小屋裏ダクト（例えば、塩ビ管等が使用されている。）２７に接続されている。この小屋裏ダクト２７には、その途中に換気扇（送風機）２８が配置されている。
【００３０】
このような換気システムにおいて、押入れ等に三角ダクト１及び三角ダクトジョイント７が設置されているから、換気扇（送風機）を運転すると、押入れ等の湿気を、図２において説明した三角ダクトジョイント７の開閉可能な吸気部１４から吸入し、小屋裏ダクトを通して排気口２６から戸外に排気することができる。
【００３１】
開閉可能な吸気部１４の開閉度合いを調整することで、収納スペース部分の広さや湿気の度合い等の状態に応じて、吸気の風量を調整でき、又、湿気がたまっていない状態の押入れ等については、開閉可能な吸気部１４を閉鎖するか又は開口度合いを小さくして、吸気の風量の低減を図り、建物全体の換気システムの効率をアップすることができる。
【００３２】
ところで、三角ダクト１及び三角ダクトジョイント７は、前述のとおり、押入れ１８等のコーナー部５に沿って設置されているのであるが、図３は立面図であるので、そのコーナー部５が明確に示しにくい。そこで、図４により三角ダクト１及び三角ダクトジョイント７を設置状態の例を平面的に示す。
【００３３】
この図４は、図３の平面図ではないが、三角ダクト１及び三角ダクトジョイント７する箇所として、押入れ、クローゼット、納戸等の収納スペース部分のコーナー部５を示し、平面的に三角ダクト１の設置状態の例を明示している。
【００３４】
このようにコーナー部５に設置すると、押入れ等に断面円形の塩ビ管から成る換気用ダクトをむき出しで設置する場合に比べて見栄えがよくなり、収納スペース部分に面している部分は平坦面であるから断面円形の塩ビ管から成る換気用ダクトに比較して、清掃性がよく、清潔にすることができる。
【００３５】
しかも、三角ダクト１とすると、押入れ等において三角ダクト１のために使用される部分にデッドスペースを発生させることなく収納に有効活用でき、その断面積を送気用にフルに有効に活用できる。なお、塩ビ管から成る換気用ダクト２９をむき出しで設置した場合の見栄えの悪さを改善するために、図５（ｂ）に示すように、塩ビ管から成る換気用ダクト２９を化粧ボード３０でカバーする構成も考えられる。この構成について、本考案に係る三角ダクト１を使用しようした場合と以下において比較する。
【００３６】
図５（ａ）は三角ダクト１（三角ダクトジョイント７については省略する。）をコーナー部５に設置した例及びその各部寸法を示す図であり、図５（ｂ）は塩ビ管から成る換気用ダクト２９を化粧ボードで隠して設置した例及びその各部寸法を示す図である。両者を比較すると、三角ダクト１の断面積は７８１２．５ｍｍ２であり、塩ビ管の断面積は７８５４ｍｍ２であるから、両者の送気に貢献する断面積はほぼ同じである。
【００３７】
しかしながら、図５（ｂ）の設置例では、化粧ボードで隠される断面三角形の部分は、図５（ｂ）に比較して大きくなり、しかも塩ビ管の部分を除いてデッドスペースとなり、デッドスペースが増えて収納空間が少なくなる。従って、図５（ａ）に示すような本考案に係る三角ダクト１を設置すると、見栄えが良いの加えて、収納空間にデッドスペースを発生させることなく送気用にフルに有効に活用できる。
【００３８】
以上、本考案を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００３９】
以上のとおり、本考案に係る換気用の三角ダクト１及び三角ダクトジョイント７は、収納スペースのコーナー部に設けることで、収納スペースを狭くせず、見栄えもよいので、押入れ、クローゼット、納戸等いろいろな収納スペース部分の換気用ダクトとして適用可能である。
【図面の簡単な説明】
【００４０】
【図１】本考案に係る換気用の三角ダクト１及び三角ジョイントを説明する図であり、図１（ａ）は換気用の三角ダクト１をその長手方向に対して垂直に切断した断面図を示し、図１（ｂ）は、上下２本の換気用の三角ダクト１を三角ジョイントで接続した状態の正面図及び一部拡大図であり、図１（ｃ）は、図１（ｂ）に記載した三角ジョイントで接続された換気用の三角ダクト１を押入れのコーナー部に適用した状態の断面図を示す。
【図２】本考案に係る換気用の三角ダクトジョイント７を詳細に説明する図である。図２（ａ）は三角ダクトジョイント７の正面図であり、図２（ｂ）は垂直方向の断面図を示し、図２（ｃ）、（ｄ），（ｅ）は図２（ａ）のＡ−Ａ、Ｂ−Ｂ、Ｃ−Ｃ断面をそれぞれ示し、図２（ｄ）は三角ダクトジョイント７に形成された開閉可能な吸気部を説明する正面図であり、図２（ｅ）は吸気のための小孔を開閉する開閉板１６を示す図である。
【図３】本考案に係る三角ダクト１及び三角ダクトジョイント７を使用した建物の換気システムの全体構成を示す図である。
【図４】本考案に係る三角ダクト１三角ダクト１及び三角ダクトジョイント７を設置状態の例を平面的に示す図である。
【図５】図５（ａ）は本考案に係る三角ダクト１（三角ダクトジョイント７については省略する。）をコーナー部５に設置した例及びその各部寸法を示す図であり、図５（ｂ）は塩ビ管から成る換気用ダクトを化粧ボードで隠して設置した例及びその各部寸法を示す図である。
【符号の説明】
【００４１】
１  三角ダクト                         
２、３  左右の側壁                     
４  正面壁                             
５  コーナー部                         
６  押入れの壁                         
７  三角ダクトジョイント               
８  ジョイント本体                     
９  ダクト受部                         
１０  ダクト受部の外筒                 
１１  ダクト受部の内筒                 
１２  ダクト受溝                 
１３  コーキング剤（シール剤）         
１４  開閉可能な吸気部（開閉吸気口）   
１５  吸気部の小孔                     
１６  吸気部の開閉板                   
１６’  開閉板の小孔                   
１７  ガイド枠                         
１８  押入れ                           
１９  上部三角ダクト                   
２０  中間三角ダクト                   
２１  下部三角ダクト                   
２２  上部三角ダクトジョイント         
２３  下部三角ダクトジョイント         
２４  １階の居室の吸気口               
２５  １Ｆ天井裏ダクト（塩ビ管）       
２６  排気口                           
２７ ２Ｆ小屋裏ダクト（塩ビ管）        
２８  換気扇（送風機）                 
２９  塩ビ管から成る換気用ダクト       
３０  化粧ボード                       
【図１】
0003103053.tif 000003
【図２】
0003103053.tif 000004
【図３】
0003103053.tif 000005
【図４】
0003103053.tif 000006
【図５】
0003103053.tif 000007